(57)【要約】      （修正有）【課題】手の自由が利かない状態でも使用できるように、どのような手の大きさの人にも使いやすいように、操作部位に関らず一定の操作感を与えより少ない動作で綴じ込み操作を行うことができるステープラを少ない部品点数で実現する。【解決手段】ステープラＳに、ステープル折り曲げ部１ｘを備えたベース１と、紙葉類挿入空間ＳＳを挟んで位置するマガジン２１と、ステープルを順次ステープル折り曲げ部１ｘに臨ませるステープル供給機構２と、ステープルをステープル折り曲げ部１ｘに向けて押し出す操作力を受ける綴じ操作体３と、綴じ操作体３をベース１に対して直線的に進退させる案内機構４と、綴じ操作体３が操作力を受けた場合にステープル折り曲げ部１ｘに臨ませたステープルをステープル折り曲げ部１ｘに向けて押し出す機能を有する押圧部材５とを具備させる。【選択図】図４
2005138262.tif 000002
【特許請求の範囲】
【請求項１】
ステープル折り曲げ部を備えたベースと、このベースとの間に紙葉類挿入空間を挟んで位置するとともにステープルを充填するマガジンを有し充填されたステープルを順次前記ステープル折り曲げ部に臨ませるステープル供給機構と、前記ステープル供給機構を介して前記ベースに対面配置され、ステープルを前記ステープル折り曲げ部に向けて押し出す操作力を受け付ける綴じ操作体と、前記綴じ操作体をベースに対して直線的に進退させるべく案内する案内機構と、前記綴じ操作体に設けられ、この綴じ操作体が操作力を受け付けた場合に前記ステープル折り曲げ部に臨ませたステープルを該ステープル折り曲げ部に向けて押し出す機能を有する押圧部材とを具備することを特徴とするステープラ。
【請求項２】
前記ベースと前記綴じ操作体との間に、前記ベースに対面配置させた状態の使用位置とステープルを充填可能な状態の退避位置との間で前記綴じ操作体を移動させる退避機構をさらに具備することを特徴とする請求項１記載のステープラ。
【請求項３】
前記案内機構が、前記綴じ操作体からベースに向かう方向に突出させて設けられるガイドピンと、前記ガイドピンに係合可能なガイド部材とを具備するものであって、前記綴じ操作体と前記ガイド部材とを一体に移動させるように前記退避機構を形成していることを特徴とする請求項２記載のステープラ。
【請求項４】
前記ガイド部材を前記ベースにガイド部材取付軸を介して軸着していることを特徴とする請求項３記載のステープラ。
【請求項５】
前記ステープル供給機構のマガジンを、前記ガイド部材取付軸からベース寄りに偏位した位置に設けたマガジン取付軸を介して前記ベースに軸着していることを特徴とする請求項４記載のステープラ。
【請求項６】
前記ガイド部材に設けられた係止爪と係合して前記ガイド部材を前記使用位置に固定するロック爪と、スライド移動により前記係止爪とロック爪との係合を解除する係合解除操作部とを有するロック機構をさらに具備することを特徴とする請求項３、４又は５記載のステープラ。
【請求項７】
前記ガイドピンを円柱状に形成しているとともに、前記ガイド部材に前記ガイドピンと係合可能な係合穴を形成していることを特徴とする請求項３、４、５又は６記載のステープラ。
【発明の詳細な説明】
【技術分野】
【０００１】
本発明は、紙葉類を綴じる用途に用いられるステープラに関する。
【背景技術】
【０００２】
従来、紙葉類を綴じる用途に用いられるステープラは、ベースと、ステープルを収納するマガジンを有するフレーム部と、マガジン内のステープルを前記ベースに向けて押圧する機能を有する押圧部とを具備するとともに、これらの一端を共通の回転軸を中心に回転可能に接続する構成が広く採用されている。そして、このようなステープラを用いて紙葉類を綴じ込むには、回動端側を把持して前記押圧部を前記ベースに向けて押圧し、この押圧部にステープルを前記ベースに向けて押圧させる必要がある。（例えば、特許文献１〜４参照。）なお、前記特許文献において、基台枠、基台体、及びクリンチャアームはベース、針はステープル、針収容函体及びマガジン部材はフレーム部、カバー体、ハンドル、ハンドル体、及びハンドル部材は押圧部にそれぞれ相当する。
【特許文献１】特許２６３１３４２号公報
【特許文献２】特開平１０−１９３２８２号
【特許文献３】特許２６７１２５５号公報
【特許文献４】特開２００２−２８８７７号
【発明の開示】
【発明が解決しようとする課題】
【０００３】
ところが、このような構成のステープラは、前記押圧部を前記ベースに向けて押圧する操作を、ステープラを把持することにより行う必要があることが多い。すなわち、手の自由が利かない状態ではこのような操作を行うことができないことがあり得るという不具合が存在する。また、手の大きさとステープラの大きさとが極端に異なる場合には使いにくくなってしまう不具合が存在する。
【０００４】
このような不具合を解消するため、前記ベースに向かいその載置面に垂直な方向にスライド移動させる動作により操作を行うことができる操作部を具備させるとともに、この操作部と前記押圧部との間に、操作部のスライド移動を押圧部に対する押圧動作に変換する動作変換機構を介在させる構成が考えられる。しかし、このようなものでは、操作部と押圧部との間に動作変換機構を介在させることにより、動作変換の際に無駄が発生するとともに部品点数が多くなる新たは不具合が発生する。
【０００５】
本発明は、以上に述べた課題を解決し、手の自由が利かない状態でも使用できるようにするとともに、どのような手の大きさの人にも使いやすくしつつ操作部位に関らず一定の操作感を与えることのできるステープラを少ない部品点数で実現するとともに、より少ない動作で綴じ込み操作を行うことができるようにすべく構成するものである。
【課題を解決するための手段】
【０００６】
すなわち本発明に係るステープラは、ステープル折り曲げ部を備えたベースと、このベースとの間に紙葉類挿入空間を挟んで位置するとともにステープルを充填するマガジンを有し充填されたステープルを順次前記ステープル折り曲げ部に臨ませるステープル供給機構と、前記ステープル供給機構を介して前記ベースに対面配置され、ステープルを前記ステープル折り曲げ部に向けて押し出す操作力を受け付ける綴じ操作体と、前記綴じ操作体をベースに対して直線的に進退させるべく案内する案内機構と、前記綴じ操作体に設けられ、この綴じ操作体が操作力を受け付けた場合に前記ステープル折り曲げ部に臨ませたステープルを該ステープル折り曲げ部に向けて押し出す機能を有する押圧部材とを具備することを特徴とする。
【０００７】
このように構成すれば、押圧部材を前記綴じ操作体に具備させているので、構造を簡単なものにできるとともに、綴じ操作体をベースに向けて押し込む動作をそのまま紙葉類を綴じ込む動作に変換でき、より少ない動作で紙葉類を綴じ込むことができる。
【０００８】
このようなステープラにおいてステープルの充填をより容易に行うことができるようにするための態様として、前記ベースと前記綴じ操作体との間に、前記ベースに対面配置させた状態の使用位置とステープルを充填可能な状態の退避位置との間で前記綴じ操作体を移動させる退避機構をさらに具備するものが挙げられる。
【０００９】
さらに、前記案内機構が、前記綴じ操作体からベースに向かう方向に突出させて設けられるガイドピンと、前記ガイドピンに係合可能なガイド部材とを具備するものであって、前記綴じ操作体と前記ガイド部材とを一体に移動させるように前記退避機構を形成しているものであれば、前記マガジンを上方及び側方の空間に対して露出できるので、ステープルの充填をさらに容易に行うことができる。
【００１０】
上述したような構成を実現するための具体的な態様の一例として、前記ガイド部材を前記ベースに第１取付軸を介して軸着しているものが挙げられる。
【００１１】
また、前記ステープル供給機構のマガジンを、前記第１取付軸からベース寄りに偏位した位置に設けた第２取付軸を介して前記ベースに軸着しているものであれば、第１取付軸をベースから大きく離間させることにより、前記退避位置をよりベースから離間した位置に設定してステープルの充填をさらに容易に行うことができる。
【００１２】
さらに、上述したようなガイド部材を簡単な構造で固定するとともに簡単な操作で固定を解除して退避位置に移動させるようにするための態様として、前記ガイド部材に設けられた係止爪と係合して前記ガイド部材を前記使用位置に固定するロック爪と、スライド移動により前記係止爪とロック爪との係合を解除する係合解除操作部とを有するロック機構をさらに具備するものが挙げられる。
【００１３】
そして、前記ガイドピンと前記ガイド部材との間のスライドを滑らかに行うようにするための態様として、前記ガイドピンを円柱状に形成しているとともに、前記ガイド部材に前記ガイドピンと係合可能な係合穴を形成しているものが挙げられる。このようなものであれば、円柱状のガイドピンを形成する際には抜き勾配を形成する必要がなく、前記係合穴との間のクリアランスを微細に設定できるからである。
【発明の効果】
【００１４】
本発明に係るステープラは、綴じ操作体をベースに対して直線的に進退させるべく案内する案内機構を具備させることにより、手の自由が利かない状態でも使用できるようにし、また、どのような手の大きさの人にも使いやすくしつつ操作部位に関らず一定の操作感を与えることのできるものであって、押圧部材を前記綴じ操作体に設けているので、構造を簡単なものにできるとともに、綴じ操作体をベースに向けて押し込む動作をそのまま紙葉類を綴じ込む動作に変換でき、より少ない動作で紙葉類を綴じ込むことができる。
【発明を実施するための最良の形態】
【００１５】
以下、本発明の一実施形態を、図面を参照して説明する。
【００１６】
本実施形態に係るステープラＳは、平面視略卵形をなし、斜視図を図１、側面図を図２、平面図を図３、図３におけるＡ−Ａ断面図を図４、図３におけるＢ−Ｂ断面図を図５にそれぞれ示すように、半径の小さな円弧側の端部（以下先端部と称する）にステープル折り曲げ部１ｘを備えたベース１と、このベース１との間に紙葉類挿入空間ＳＳを挟んで位置するとともにステープルを充填するマガジン２１を有し充填されたステープルを順次前記ステープル折り曲げ部１ｘに臨ませるステープル供給機構２と、前記ステープル供給機構２を介して前記ベース１に対面配置され、ステープルを前記ステープル折り曲げ部１ｘに向けて押し出す操作力を受け付ける綴じ操作体３と、前記綴じ操作体３をベースに対して直線的に進退させるべく案内する案内機構４と、前記綴じ操作体３に設けられ、この綴じ操作体が操作力を受け付けた場合に前記ステープル折り曲げ部１ｘに臨ませたステープルを該ステープル折り曲げ部１ｘに向けて押し出す機能を有する押圧部材５とを具備する。
【００１７】
前記ベース１は、図６の（ａ）に平面図、同図の（ｂ）に側面図、同図の（ｃ）に底面図をそれぞれ示すように、半径の大きな円弧側の端部（以下基端部と称する）に、ベース１の上面から起立し長手方向に延伸する起立板１１を１対有する。これら起立板１１には、外向する板面には前記案内機構４を構成するガイド部材４２を軸着するガイド部材取付軸Ｘ１を設けているとともに、互いに対向する板面に前記ステープル供給機構２を構成するマガジン２１を軸着するマガジン取付軸Ｘ２を設けている。そして、前記マガジン取付軸Ｘ２を前記ガイド部材取付軸Ｘ１よりも下方に配置している。
【００１８】
前記ステープル供給機構２は、前記ベース１との間に前記紙葉類挿入空間ＳＳを挟んで位置し、ステープルを充填している前記マガジン２１と、前記マガジン２１に充填されたステープルを順次前記ステープル折り曲げ部１ｘに臨ませるべく前記ステープル折り曲げ部１ｘ側に付勢するステープル送り出し部２２とを有する。ここで、図７の（ａ）にマガジン２１の平面図、同図の（ｂ）に同側面図、同図の（ｃ）に同底面図をそれぞれ示す。具体的には、このステープル供給機構２は、従来のステープラにおけるステープル供給機構と略同様の構成を有し、前記マガジン２１は一端部が前記ステープル折り曲げ部１ｘに臨むとともに、他端部に設けた取付孔２１ｘが前記マガジン取付軸Ｘ２に軸着されている。そして、前記マガジン２１は、前記起立板１１寄りの端部においてマガジンバネＳ１により上方に向けて付勢されているとともに、係止爪２１１がベース１のマガジン係止部１ｙに係合することよりベース１から高さ方向に所定距離離間した位置に保持されている。一方、前記ステープル送り出し部２２は、プッシャ２２１とステープル送りバネＳ３とからなる。前記ステープル送りバネＳ３は、一端部をプッシャ２２１に、他端部を押圧部材５に設けた後述するバネ取付部５ｘに接続していて、このステープル送りバネＳ３の作用によりステープルを前記ステープル折り曲げ部１ｘ側に付勢する。
【００１９】
前記綴じ操作体３は、図８の（ａ）に平面図、同図の（ｂ）に側面図、同図の（ｃ）に底面図をそれぞれ示すように、中空をなすとともに、平面視前記ベース１に略重合する形状をなしている。また、先端部の下面には、前記押圧部材５を取り付ける押圧部材取付部３ａを設けている。
【００２０】
前記案内機構４は、前記綴じ操作体３をベース１に対して直線的に進退させるべく案内する機能を有し、前記図４に示すように前記綴じ操作体３からベース１に向かう方向に突出させて設けられるガイドピン４１と、前記ガイドピン４１に係合可能なガイド部材４２とを具備する。
【００２１】
前記ガイドピン４１は、本実施形態では円柱状をなしていて、幅方向に２列、長手方向に３列に設けている。また、長手方向に隣接するガイドピン４１間には、本実施形態では長手方向に延びる接続板４１０を介在させているとともに、この接続板４１０の長手方向中央のガイドピン４１に隣接する部位には切り欠き４１０ｘを設けている。
【００２２】
一方、前記ガイド部材４２は、図９の（ａ）に平面図、同図の（ｂ）に側面図、同図の（ｃ）に正面図をそれぞれ示すように、前記ガイドピン４１にそれぞれ係合可能な係合穴４２ａ及び前記接続板４１０に係合可能な係合溝４２ｃを備えているとともに、その一端部には前記ガイド部材取付軸Ｘ１と係合可能な取付孔４２ｘを設けていて、この取付孔４２ｘを前記ガイド部材取付軸Ｘ１に係合させることによりベース１に軸着するようにしている。さらに、長手方向に３列配置されたうちの中央のガイドピン４１には、係止ネジ４１１を螺着しているとともに、前記ガイド部材４２の係合穴４２ａのうちこの係止ネジ４１１を螺着したガイドピン４１に係合するものには、前記係止ネジ４１１の頭部４１１ａと係合可能な係止部４２ｂを設けている。なお、ガイド部材取付軸をこのガイド部材４２に固定して設け、ベース１側にガイド部材取付軸と係合可能な係合孔を設けるようにしてもよい。加えて、前記ガイド部材４２は、前記取付孔４２ｘが設けられている側と反対側の端部に係止爪４２１を設けていて、後述するロック機構Ｒによりベース１から起立する位置である使用位置に固定可能にしている。そして、前記接続板４１０に設けた切り欠き４１０ｘの上端に綴じ操作体支持バネＳ２の一端を当接させているとともに、この綴じ操作体支持バネＳ２の他端を前記係止部４２ｂに当接させ、この綴じ操作体支持バネＳ２の作用により綴じ操作体３を上方、すなわちベース１から離間する方向に付勢している。
【００２３】
ロック機構Ｒは、前記ガイド部材４２に設けられた係止爪４２１と、この係止爪４２１と係合して前記ガイド部材４２を前記使用位置に固定するロック爪６１と、スライド移動により前記係止爪４２１とロック爪６１との係合を解除する係合解除操作部６２とを有する。前記ロック爪６１及び前記係合解除操作部６２は、本実施形態では図１０の（ａ）に底面図、同図の（ｂ）に正面図、同図の（ｃ）に側面図をそれぞれ示すようなロック部材６に一体に設けられている。このロック部材６は、前記ベース１に設けられたロック部材取付部１ｔに取り付けるようにしている。また、前記係合解除操作部６２は、前記ベース１の先端部から外部に露出しているとともに、この係合解除操作部６２を前記ベース１に近づける方向にスライド移動すると弾性変形部６３の長さ寸法が圧縮されて前記ロック爪６１が移動し、前記係止爪４２１とロック爪６１との係合が解除される。
【００２４】
さらに本実施形態では、前記ベース１と前記綴じ操作体３との間に、前記ベース１に対面配置させた状態の使用位置と、ステープルを充填可能な状態の退避位置との間で前記綴じ操作体３を移動させる退避機構Ｔをさらに具備する。ここで、退避位置に前記綴じ操作体３を移動させた状態における図４に相当する状態の図を図１１に示す。具体的には、前記ロック機構Ｒを解除した状態で前記綴じ操作体３を上方に引き上げると、前記係止ネジ４１１と前記係止部４２ｂとが係合したまま前記ガイド部材４２が上方に移動する。すなわち、前記綴じ操作体３が前記ガイド部材４２と一体に移動可能にしている。
【００２５】
しかして本実施形態では、前記押圧部材５は、前記綴じ操作体３の押圧部材取付部３ａに設けられ、この綴じ操作体３が操作力を受け付けた場合に前記ステープル折り曲げ部１ｘに臨ませたステープルを該ステープル折り曲げ部１ｘに向けて押し出す機能を有する。
【００２６】
具体的には、この押圧部材５は、前記図４に示すように、取付ネジを挿通させるネジ挿通孔を有する被取付部５１と、この被取付部５１の前記該ステープル折り曲げ部１ｘ側の端部から前記該ステープル折り曲げ部１ｘに向けて延伸するとともに前記綴じ操作体３に操作力が加えられた場合に前記該ステープル折り曲げ部１ｘ側の端部にステープルに当接するドライバ５２と、前記被取付部５１の他端部から前記該ステープル折り曲げ部１ｘから離間する方向に下降する傾斜を有して延伸する板バネ部５３とを有する。さらに詳述すると、この押圧部材５は前記被取付部５１のネジ挿通孔に挿通させた取付ネジを前記綴じ操作体３の押圧部材取付部３ａに螺着することにより前記綴じ操作体３に取り付けられる。また、前記板バネ部５３は、操作力が加えられた場合に前記マガジン２１に当接しこの押圧部材５を上方に付勢する。そして、この押圧部材５には、上述したようにバネ取付部５ｘに取り付けたステープル送りバネＳ３を介してステープル送り出し部２２のプッシャ２２１と接続している。
【００２７】
以上のように構成したステープラＳを用いて紙葉類を綴じる際には、前記綴じ操作体３が操作力を受け付ける。その際の各部の作用について以下に述べる。
【００２８】
まず、綴じ操作体３が受け付けた操作力は、前記押圧部材５に伝えられる。初期の段階では前記操作力は前記マガジン２１を押し下げるべく作用するとともに、前記押圧部材５が前記マガジン２１に接近する。それから、前記マガジン２１が紙葉類に当接すると、前記押圧部材５が該マガジン２１に当接する。さらに綴じ操作体３に操作力を加えると、前記操作力は前記押圧部材５からステープル折り曲げ部１ｘに臨むステープルに直接伝えられ、ステープルが前記押圧部材５のドライバ５２により前記ステープル折り曲げ部１ｘに向けて押し出される。そして、押し出されたステープルは前記ステープル折り曲げ部１ｘにより折り曲げられることにより紙葉類を綴じる。紙葉類を綴じた後は、前記押圧部材５の板バネ部５３、マガジンバネＳ１，及び綴じ操作体支持バネＳ２が弾性変形して紙葉類を綴じる以前の状態に戻る。
【００２９】
また、このようなステープラＳにステープルを補充する操作について以下に説明する。
【００３０】
まず、ロック解除操作体６２をスライド移動させる。すると、ロック爪６１と前記ガイド部材４２の係止爪４２１との係合が解除される。この状態で綴じ操作体３を上方に移動させると、前記係止ネジ４１１及び係止部４２ｂを介して上方に移動させる際の操作力がガイド部材４２に伝えられ、綴じ操作体３及びガイド部材４２が退避位置に向けて移動し、マガジン２１が上方の空間に対して開放される。そして、マガジンにステープルを補充した後は、綴じ操作体３をベース１に向けて移動させると、綴じ操作体３及びガイド部材４２は使用位置に向けて移動し、綴じ操作体３及びガイド部材４２が使用位置に達すると、前記ロック部材６が弾性変形して再びロック爪６１と前記ガイド部材４２の係止爪４２１とが係合する。
【００３１】
以上に述べたように、本実施形態に係るステープラＳは、押圧部材５を綴じ操作体３に設けているので、構造を簡単なものにできるとともに、綴じ操作体３をベース１に向けて直線的に押圧する操作力が直接押圧部材５に伝えられるので、綴じ操作体をベースに向けて押し込む動作をそのまま紙葉類を綴じ込む動作に変換でき、より少ない動作で紙葉類を綴じ込むことができる。
【００３２】
また、前記ベース１と前記綴じ操作体３との間に、前記ベース１に対面配置させた状態の使用位置とステープルを充填可能な状態の退避位置との間で前記綴じ操作体３を移動させる退避機構Ｔをさらに具備するので、前記綴じ操作体３を退避位置まで移動させればステープルの充填を行うことができるので、ステープルの充填をより容易に行うことができる。
【００３３】
さらに、前記綴じ操作体３と前記ガイド部材４２とを一体に移動させるように前記退避機構Ｔを形成しているので、これら綴じ操作体３及び前記ガイド部材４２を前記退避位置に移動させた状態では前記マガジン２１を上方及び側方の空間に対して露出し、従って、ステープルの充填をさらに容易に行うことができる。
【００３４】
前記ガイド部材４を前記ベース１にガイド部材取付軸Ｘ１を介して軸着することにより、上述した構成を容易に実現できる。
【００３５】
前記ステープル供給機構２のマガジン２１を、前記ガイド部材取付軸Ｘ１から下方に偏位した位置に設けたマガジン取付軸Ｘ２を介して前記ベース１に軸着しているので、このマガジン２１のベース１への取付が容易であるとともに、前記ガイド部材取付軸Ｘ１は少なくともマガジン取付軸Ｘ２よりも上方に位置するので、前記退避位置をより上方に設定でき、ステープルの充填をより容易に行うことができる。
【００３６】
さらに、前記ガイド部材４２に設けられた係止爪４２１と係合して前記ガイド部材４２を前記使用位置に固定するロック爪６１と、スライド移動により前記係止爪４２１とロック爪６１との係合を解除する係合解除操作部６２とを有するロック機構Ｒをさらに具備するので、上述したようなガイド部材４２を簡単な構造で前記使用位置に固定するとともに簡単な操作で固定を解除して退避位置に移動させることができる。
【００３７】
そして、前記ガイドピン４１を円柱状に形成しているとともに、前記ガイド部材４２に前記ガイドピン４１と係合可能な係合穴４２ａを形成しているので、円柱状のガイドピン４１を形成する際には抜き勾配を形成する必要がなく、前記係合穴４２ａとの間のクリアランスを微細に設定でき、前記ガイドピン４１と前記ガイド部材４２との間のスライドを滑らかに行うようにすることができる。
【００３８】
なお、本発明は以上に述べた実施の形態に限られない。
【００３９】
例えば、操作部の形状は、上述した以外にも、例えば立方体状や、直方体状や、半球状や、漫画、アニメ、コンピュータゲームの登場人物その他周知のキャラクターを模した形状等、種々に構成してよい。
【００４０】
また、案内部の形状は、ガイドピンとガイド部材とをそれぞれ４対以上設けるようにしたものや２対だけ設けるようにしたものでもよく、また、互いに係合可能なガイドピンとガイド部材との組以外のものによる構成、例えばＸリンク機構を用いた構成等を用いてもよい。
【００４１】
その他、本発明の趣旨を損ねない範囲で種々に変更してよい。
【図面の簡単な説明】
【００４２】
【図１】本発明の一実施形態に係るステープラの全体斜視図。
【図２】同実施形態に係るステープラの側面図。
【図３】同実施形態に係るステープラの平面図。
【図４】図３におけるＡ−Ａ断面図。
【図５】図３におけるＢ−Ｂ断面図。
【図６】同実施形態に係るステープラのベースを示す図。
【図７】同実施形態に係るステープラのマガジンを示す図。
【図８】同実施形態に係るステープラの綴じ操作体を示す図。
【図９】同実施形態に係るステープラのガイド部材を示す図。
【図１０】同実施形態に係るステープラのロック部材を示す図。
【図１１】退避位置に綴じ操作体を移動させた状態における図４に相当する状態の図
【符号の説明】
【００４３】
Ｓ…ステープラ
１…ベース
２…ステープル供給機構
２１…マガジン
３…綴じ操作体
４…案内機構
４１…ガイドピン
４２…ガイド部材
４２ａ…係合穴
５…押圧部材
６１…ロック爪
６２…係合解除操作部
Ｒ…ロック機構
Ｔ…退避機構
Ｘ１…第１取付軸
Ｘ２…第２取付軸
【図１】
2005138262.tif 000003
【図２】
2005138262.tif 000004
【図３】
2005138262.tif 000005
【図４】
2005138262.tif 000006
【図５】
2005138262.tif 000007
【図６】
2005138262.tif 000008
【図７】
2005138262.tif 000009
【図８】
2005138262.tif 000010
【図９】
2005138262.tif 000011
【図１０】
2005138262.tif 000012
【図１１】
2005138262.tif 000013